(57)【要約】      （修正有）【課題】被移送物、特に大型の重量物の移送と荷降ろし作業を、円滑かつ容易に行うことを可能にする移送装置を提供する。【解決手段】この発明の移送装置は、所定の位置まで敷設された案内レールに沿って被移送物を載置して移動する移送体２と、前記移送体２を移動させる移動手段で構成されたもので、前記移送体２は、所要の厚さの板状体からなる移送体主体２ｂと、前記移送体主体２ｂの上部に配される、前記被移送物を載置するための載置部２ａと、前記載置部２ａを昇降するよう前記移送体主体２ｂと載置部２ａの間に配される昇降ジャッキ２ｃで構成され、前記移送体主体２ｂは、その下面に、摺動部材を具備するよう構成されているものである。したがって、所定の位置まで被移送物を移送する作業と荷降ろしする作業を容易に行うことができる。【選択図】図２
2019073351.tif 000002
【特許請求の範囲】
【請求項１】
所定の位置まで敷設された案内レールと、
前記案内レールに沿って、被移送物を載置して移動する移送体と、
前記移送体を移動させる移動手段で構成され、
前記移送体は、
所要の厚さの板状体からなる移送体主体と、前記移送体主体の上部に配される、前記被移送物を載置するための載置部と、前記載置部を昇降するよう前記移送体主体と、前記載置部の間に配される昇降ジャッキで構成され、
前記移送体主体は、その下面に摺動部材を具備すること
を特徴とする移送装置。
【請求項２】
前記案内レールは、
前記移送体が載置されるレール主体と、
前記レール主体の両端に、前記移送体の移動を規制するよう起立形成されるガイド部で構成されたものであること
を特徴とする請求項１に記載の移送装置。
【請求項３】
前記移送体は、
その高さが、前記昇降ジャッキが下降した状態で、前記ガイド部の高さより高いこと
を特徴とする請求項２に記載の移送装置。
【請求項４】
前記被移送物は、
大型重量物であって、
前記移送体は、
他の移送体と連結され、連結体を構成していること
を特徴とする請求項１〜３のいずれかに記載の移送装置。
【請求項５】
前記移動手段は、
移動手段本体と、前記移動手段本体の先端に水平方向に伸縮可能に取り付けられる水平ジャッキと、前記水平ジャッキの先端に取り付けられる前記移送体と連結するための移送体連結部で構成され、
前記移動手段本体の下面及び前記移送体連結部の下面に、摺動部材が配されていること
を特徴とする請求項１〜４のいずれかに記載の移送装置。
【請求項６】
所要の厚さの板状体からなる移送体主体と、
前記移送体主体の上部に配される、前記被移送物を載置するための載置部と、
前記載置部を昇降するよう前記移送体主体と、載置部の間に配される昇降ジャッキ
で構成され、
前記移送体主体は、その下面に、摺動部材を具備すること
を特徴とする移送体。
【請求項７】
前記移送体は、
互いに連結して連結体を構成するよう、その前後方向の側面の少なくとも一方に、連結部を備えること
を特徴とする請求項６に記載の移送体。
【請求項８】
案内レールを、所定の位置まで敷設するステップと、
前記案内レール上に、請求項６又は７に記載の移送体を載置するステップと、
前記案内レール上で、前記移送体と、前記移送体を移動させる移動手段を連結するステップと、
前記移送体上に被移送物を載置するステップと、
前記被移送物を載置した状態にある移送体を、前記移動手段によって所定の位置まで移動させるステップと、
前記移送体の昇降ジャッキを上昇させて、前記被移送物をリフトアップするステップと、
前記被移送物と床面の間に所要の大きさの受け台を挿入するステップと、
前記昇降ジャッキを下降させることによって、被移送物をリフトダウンして、前記受け台で支持するステップ
を備えること
を特徴とする移送システム。
【請求項９】
前記受け台は、
その上面の位置が、前記案内レールのガイド部の上面の位置よりも高く、かつ前記昇降ジャッキが上昇した状態で、前記移送体の載置部の上面の位置よりも高くなるよう構成されていること
を特徴とする請求項８に記載の移送システム。
【発明の詳細な説明】
【技術分野】
【０００１】
この発明は、重量物の移送装置に関するものである。
より具体的には、大型の重量物の移送と荷降ろし作業を、円滑かつ容易に行うことを可能にする移送装置に係るものである。
【背景技術】
【０００２】
従来、１００〜５００ｔ程度の大型の重量物などを移送する装置としては、移送体が重量物を載置した状態で、底面に敷設したレール上を移動して、所定の場所まで移送するように構成されているものが知られている。
【０００３】
例えば、特許第５７３５４６１号公報（特許文献１）においては、重量物の下面のゴム沓に損傷を与えることなく、重量物を仮設レールから据付け台に横移動できる重量物移送装置が提案されている。
【０００４】
この重量物の移送装置は、
重量物を、仮設レールから据付け台に横移動して、前記重量物の下面のゴム沓を前記据付け台に設置するための横移動装置で、
前記仮設レール上における重量物の下面に、ピストンの降下時に前記ゴム沓の高さより機高が低いスライディング用薄型ジャッキを設置し、
このスライディング用薄型ジャッキは、
平板状のシリンダ本体の略中心位置に上端部を開口し、下端部を密閉した中心シリンダを形成し、
この中心シリンダの外周に、略等間隔で前記中心シリンダと直径が略同一の複数個の外周シリンダを形成し、
これらのすべての外周シリンダを油道で連通し、
前記すべてのシリンダに、略同一受圧面積の中心ピストンと外周ピストンを昇降自在に嵌合し、
これらピストンの弧状押圧面に押圧板を配置し、
前記シリンダ本体における前記仮設レールとの摺動面に、摺動部材を設けたもの
からなるものである。
【０００５】
さらに、特許第３０１５３５１号（特許文献２）においては、ジャッキと水平駆動手段とを操作して、アッパープレートとベースプレートとを交互に動かすことによって、他に牽引手段や押出し手段がなくても、自ら重量物を移送することができる重量物搬送装置が提案されている。
【０００６】
この重量物移送装置は、床面上にある重量物の脚部の間に入って、その重量物を支持・移送するものであって、
一枚のベースプレートの上に、重量物の脚部間部分に固定されるアッパープレートを配置し、
両プレートの間に、低摩擦で水平移動を可能にする荷重支持手段を、ベースプレートとの間又はアッパープレートとの間に具備するリフトアップ用の複数のジャッキと、
両プレート間に、水平方向の相対移動を与える水平駆動手段と
を配置し、
移送する重量物の荷重を受けないときに限って、床面に向けて突出し得る転動体を、ベースプレートに組み込んだものである。
【先行技術文献】
【特許文献】
【０００７】
【特許文献１】特許第５７３５４６１号公報（特許請求の範囲，図１〜図３）
【特許文献２】特許第３０１５３５１号公報（特許請求の範囲，段落００２５〜段落００３１，図３）
【発明の概要】
【発明が解決しようとする課題】
【０００８】
しかしながら、被移送物を載置した移送体を、床面に敷設したレール上を移動させ、所定の場所まで移送するように構成した従来の移送装置においては、
被移送物の移送後の荷降ろしの際に、この被移送物の下面と床面との間に、昇降ジャッキを設置して、被移送物をリフトアップし、さらに、被移送物の下面と床面との間に受け台を設置して、この受け台上に被移送物を載置する作業が必要となるので、被移送物の荷降ろし作業を円滑に行うことができない、という問題があった。
【０００９】
さらに、前記特許文献１に記載された重量物移送装置は、重量物の横移動を行うためには、予め前記重量物の下面の数箇所に、所要の厚さのゴム沓を設ける作業を必要とするものである。
したがって、前記重量物の横移動後に、前記重量物からゴム沓を取り除く作業が必要となるので、重量物の荷降ろし作業を円滑に行うことができなくなるおそれがあった。
【００１０】
さらにまた、前記特許文献２に記載された重量物移送装置において、被移送物の移送のための動作は、複数のジャッキの伸長による重量物のリフトアップと、水平駆動手段（油圧シリンダ）の伸長による重量物の水平移動と、複数のジャッキの収縮による重量物のリフトダウンと、水平駆動手段の収縮を繰り返し行うものである。
したがって、その移送動作はきわめて複雑である。
【００１１】
さらに、前記特許文献２に記載された重量物移送装置においては、前記ジャッキは、被移送物の移送の際の、リフトアップとリフトダウンのために備えられるものであって、荷降ろし作業の際の、リフトアップとリフトダウンのために備えられるものではない。
【００１２】
この発明はかかる現状に鑑み、被移送物、特に大型の重量物の移送と荷降ろし作業を、円滑かつ容易に行うことを可能にする移送装置を提供せんとするものである。
【課題を解決するための手段】
【００１３】
この発明の請求項１に記載の発明は、
所定の位置まで敷設された案内レールと、
前記案内レールに沿って、被移送物を載置して移動する移送体と、
前記移送体を移動させる移動手段で構成され、
前記移送体は、
所要の厚さの板状体からなる移送体主体と、前記移送体主体の上部に配される、前記被移送物を載置するための載置部と、前記載置部を昇降するよう前記移送体主体と、前記載置部の間に配される昇降ジャッキで構成され、
前記移送体主体は、その下面に摺動部材を具備すること
を特徴とする移送装置である。
【００１４】
この発明の請求項２に記載の発明は、
請求項１に記載の移送装置において、
前記案内レールは、
前記移送体が載置されるレール主体と、
前記レール主体の両端に、前記移送体の移動を規制するよう起立形成されるガイド部で構成されたものであること
を特徴とするものである。
【００１５】
この発明の請求項３に記載の発明は、
請求項２に記載の移送装置において、
前記移送体は、
その高さが、前記昇降ジャッキが下降した状態で、前記ガイド部の高さより高いこと
を特徴とするものである。
【００１６】
この発明の請求項４に記載の発明は、
請求項１〜３のいずれかに記載の移送装置において、
前記被移送物は、
大型重量物であって、
前記移送体は、
他の移送体と連結され、連結体を構成していること
を特徴とするものである。
【００１７】
この発明の請求項５に記載の発明は、
請求項１〜４のいずれかに記載の移送装置において、
前記移動手段は、
移動手段本体と、前記移動手段本体の先端に水平方向に伸縮可能に取り付けられる水平ジャッキと、前記水平ジャッキの先端に取り付けられる前記移送体と連結するための移送体連結部で構成され、
前記移動手段本体の下面及び前記移送体連結部の下面に、摺動部材が配されていること
を特徴とするものである。
【００１８】
この発明の請求項６に記載の発明は、
所要の厚さの板状体からなる移送体主体と、
前記移送体主体の上部に配される、前記被移送物を載置するための載置部と、
前記載置部を昇降するよう前記移送体主体と、載置部の間に配される昇降ジャッキ
で構成され、
前記移送体主体は、その下面に、摺動部材を具備すること
を特徴とする移送体である。
【００１９】
この発明の請求項７に記載の発明は、
請求項６に記載の移送体において、
前記移送体は、
互いに連結して連結体を構成するよう、その前後方向の側面の少なくとも一方に、連結部を備えること
を特徴とするものである。
【００２０】
この発明の請求項８に記載の発明は、
案内レールを、所定の位置まで敷設するステップと、
前記案内レール上に、請求項６又は７に記載の移送体を載置するステップと、
前記案内レール上で、前記移送体と、前記移送体を移動させる移動手段を連結するステップと、
前記移送体上に被移送物を載置するステップと、
前記被移送物を載置した状態にある移送体を、前記移動手段によって所定の位置まで移動させるステップと、
前記移送体の昇降ジャッキを上昇させて、前記被移送物をリフトアップするステップと、
前記被移送物と床面の間に所要の大きさの受け台を挿入するステップと、
前記昇降ジャッキを下降させることによって、被移送物をリフトダウンして、前記受け台で支持するステップ
を備えること
を特徴とする移送システムである。
【００２１】
この発明の請求項９に記載の発明は、
請求項８に記載の移送システムにおいて、
前記受け台は、
その上面の位置が、前記案内レールのガイド部の上面の位置よりも高く、かつ前記昇降ジャッキが上昇した状態で、前記移送体の載置部の上面の位置よりも高くなるよう構成されていること
を特徴とするものである。
【発明の効果】
【００２２】
この発明にかかる移送装置は、所定の位置まで敷設された案内レールと、前記案内レールに沿って被移送物を載置して移動する移送体と、前記移送体を移動させる移動手段で構成されたもので、前記移送体は、所要の厚さの板状体からなる移送体主体と、前記移送体主体の上部に配される、前記被移送物を載置するための載置部と、前記載置部を昇降するよう前記移送体主体と載置部の間に配される昇降ジャッキで構成され、前記移送体主体は、その下面に、摺動部材を具備するよう構成されているものである。
る。
したがって、この発明にかかる移送装置によれば、前記所定の位置まで被移送物、特に大型の重量物を移送する作業を容易に行うことができる。
特に、前記被移送物の荷降ろし作業を行うに際しては、前記所定の位置において、前記移送体が内蔵する昇降ジャッキを利用して、前記被移送物の荷受けを行うので、別途の昇降ジャッキ及びその配置のためのスペースを必要とすることなく、前記被移送物の荷降ろし作業を、円滑かつ容易に行うことができる。
【００２３】
かかる構成によって、この発明にかかる移送装置では、被移送物の荷降ろし作業を行うに際しては、前記移送体が備える昇降ジャッキを伸長（上昇）させて、前記被移送物の下面と床面との間に所定の高さの受け台を配置して、前記受け台で前記被移送物を受けた後、前記昇降ジャッキを下降させることができるので、予め被移送物の下面の複数の箇所に所要の厚さのゴム沓を設ける必要がない。
【００２４】
前記移送装置において、前記案内レールを、前記移送体が載置されるレール主体と、前記レール主体の両端に起立形成されたガイド部で構成することができる。
かかる構成によって、前記移送体（又は複数の移送体が連結してなる連結体）は、前記レール主体上を移動し、その移動は、前記ガイド部によって規制される。
【００２５】
特に、前記移送体の高さが、前記昇降ジャッキが下降した状態で、前記ガイド部の高さより高くなる場合、すなわち、前記ガイド部の上面の位置が、前記移送体の載置部の上面の位置よりも低くなるよう構成した場合には、前記被移送物の下面にゴム沓を設ける必要がない。
したがって、前記移送体は、前記被移送物の所定の場所までの移送を、前記昇降ジャッキが下降した状態で行うことができる。
【００２６】
前記移送装置においては、前記移送体を、他の移送体と連結させて連結体として構成することができる。
したがって、大型の重量物を含む多種多様の被移送物を移送可能である。
【００２７】
この発明にかかる移送体は、所要の厚さの板状体からなる移送体主体と、前記移送体主体の上部に配される、前記被移送物を載置するための載置部と、前記載置部を昇降するよう前記移送体主体と載置部の間に配される昇降ジャッキで構成されたもので、前記移送体主体は、その下面に、摺動部材を具備するものである。
したがって、前記移送体は、前記摺動部材による摺動によって移動（被移送物の移送）を行い、その後、内蔵する昇降ジャッキを利用して前記被移送物の荷受けを行うので、別途の昇降ジャッキを必要とすることなく、前記被移送物の荷降ろし作業を容易に行うことができる。
【００２８】
この発明の移送システムは、案内レールを、所定の位置まで敷設するステップと、前記案内レール上に、前記移送体を載置するステップと、前記案内レール上で、前記移送体と、前記移送体を移動させる移動手段を連結するステップと、前記移送体上に被移送物を載置するステップと、前記被移送物を載置した状態にある移送体を、前記移動手段によって所定の位置まで移動させるステップと、前記移送体の昇降ジャッキを上昇させて、前記被移送物をリフトアップするステップと、前記被移送物と床面の間に所要の大きさの受け台を挿入するステップと、前記昇降ジャッキを下降させることによって、被移送物をリフトダウンして、前記受け台で支持するステップを備える。
したがって、この発明にかかる移送システムによれば、被移送物、特に大型の重量物の移送と荷降ろし作業を、円滑に行うことができる。
【００２９】
特に、前記移送システムにおいて、前記受け台を、その上面の位置が、前記案内レールのガイド部の上面の位置よりも高く、かつ前記昇降ジャッキが上昇した状態で前記移送体の載置部の上面の位置よりも高くなるよう構成することができる。
その結果、前記被移送物の荷降ろし作業は、前記移送体の昇降ジャッキを伸長させて行う前記受け台の配置と、前記移送体の昇降ジャッキを下降させて行う前記受け台による前記被移送物の支持によって行われるので、予め被移送物の下面の複数の箇所に所要の厚さのゴム沓を設ける必要がなく、きわめて単純かつ容易である。
【図面の簡単な説明】
【００３０】
【図１】この発明にかかる移送装置の一例を示す説明図である。
【図２】図１に示す移送装置を構成する移送体の一例を示す説明図である。
【図３】図２に示す移送体の分解斜視図である。
【図４】図２に示す移送体の上面図である。
【図５】図２に示す移送体の下面図である。
【図６】図４に示す移送体のＡ−Ａ’断面図であって、（Ａ）は、昇降ジャッキが伸長していない状態を示すもので、（Ｂ）は、昇降ジャッキが伸長した状態を示すものである。
【図７】図２に示す移送体を複数連結して構成した連結体の一例を示す説明図である。
【図８】図７に示す連結体の連結方法の一例を示す説明図である。
【図９】図１に示す移送装置を構成する移動手段の一例を示す説明図であって、（Ａ）は、水平ジャッキが伸長していない状態を示すもので、（Ｂ）は、水平ジャッキが伸長した状態を示すものである。
【図１０】この発明にかかる移送装置を構成する案内レールの一例を示す説明図である。
【図１１】この発明にかかる移送装置による移送方法の一例を示す説明図である。
【発明を実施するための形態】
【００３１】
以下、この発明にかかる移送装置及び移送システムの実施の一例を、添付の図面に基づいて具体的に説明する。
なお、この発明は開示された実施例にのみ限定されるものではなく、その要旨を変更しない範囲内において種々改良することができるものである。
【００３２】
この発明にかかる移送装置１は、被移送物８（図１１参照）を移送するため、図７に示すように、前記移送体２が載置されるレール主体４ｃと、その両端に、所要の間隔を存して併置される一対のガイド部材４ａ，４ｂで構成され、所定の位置まで敷設される案内レール４と、前記案内レール４内（レール主体４ｃ上）を走行（移動）する複数の移送体２，２・・・・と、前記移送体２，２・・・からなる連結体１２を移動させる移動手段３とから構成されている。
かかる前記移送体２は、複数の移送体２，２・・・を所要の間隔を存して連結して形成された連結体１２を構成するもので、前記被移送物８は、この連結体１２上に載置されるものである。
【００３３】
前記移送体２は、図２〜５において明らかなように、所要の厚さの板状体からなる移送体主体２ｂと、前記被移送物８を載置するため、前記移送体主体２ｂの上部を覆うよう配される載置部２ａと、前記載置部２ａを昇降するよう前記載置部２ａと移送体主体２ｂの間に配される昇降ジャッキ２ｃで構成されるものである。
【００３４】
図２，３及び５において、前記移送体主体２ｂは、その上面中央部に昇降ジャッキ２ｃを備え、下面中央部にテフロン（登録商標）などの摩擦係数が低い材料からなる摺動部材２ｅを下面に具備する平面視円形の摺動部２ｄを備える。
したがって、前記案内レール４（詳しくはそのレール主体４ｃ）上に載置された前記移送体２は、後述するように、前記案内レール４上（ガイド部材４ａ，４ｂ間）を、水平方向に摺動する。
【００３５】
前記載置部２ａは、前記前記移送体主体２ｂよりも大きい、断面矩形の載置部主体からなるもので、その上面は、直接又は載置台を介して被移送物８を載置するよう、平滑面を構成するものである。
【００３６】
前記載置部２ａの下面には、図３に示すように、前記移送体主体２ｂと外嵌するよう、内方に切り欠いて形成した所要の大きさの凹部２ｆが開口されるとともに、この凹部２ｆには、前記昇降ジャッキ２ｃと相対する位置において、前記昇降ジャッキ２ｃと嵌合可能な所要の深さの空間２ｇが形成されている。
したがって、前記空間２ｇ内に前記昇降ジャッキ２ｃを配置することによって、前記昇降ジャッキ２ｃが伸長すると、前記載置部２ａが上昇する一方、前記昇降ジャッキ２ｃが下降すると前記載置部２ａも下降する。
なお、図６において、前記昇降ジャッキ２ｃは、高さＤ伸長しているが、高さＤは、移送装置１の除去に必要な高さ（幅）、例えば、前記昇降ジャッキ２ｃが伸長した状態で、前記載置部２ａの上面の位置が、ガイド部材４ａ，４ｂの上面から５〜１０ｃｍ程度になるように設定されている。
【００３７】
この実施例において、前記移送体２は、後述するように、前記被移送物８を載置した状態で、前記案内レール４上を水平方向に摺動するに際し、その側面が、前記案内レール４のガイド部材４ａ，４ｂと当接するよう、その幅が、前記ガイド部材４ａ，４ｂ間の幅と同程度になるように構成されている。
したがって、前記移送体２の移動は、前記案内レール４のガイド部材４ａ，４ｂによって規制される。
なお、前記移送体２については、前記ガイド部材４ａ，４ｂとの当接面に、テフロン（登録商標）などの摩擦係数が低い材料からなる摺動部材を配設し、前記移送体２の移動が、より円滑になるように構成することが好ましい。
そのために、後述するように、前記案内レール４（レール主体４ｃ）上にも、摺動部材４ｄを配設することが好ましい。
その際、前記摺動部材４ｄと摺動部材２ｅは、これらの間の摩擦係数が、前記移送体２の摺動を円滑にする値（例えば、摩擦係数０．１以下）となるよう構成されていればよい。
【００３８】
前記移送体２については、被移送物８の重量や大きさに応じて、単独で又はその複数を連結させた状態（以下、「連結体」とも云う）で使用することができる。
複数の移送体を、相互に連結させて連結体の形態で使用することによって、より大きな被移送物の移送が可能となる。
【００３９】
なお、前記移送体２，２を互いに連結させる方法については、特段の制限はなく、公知の方法を採用することができる。
【００４０】
この実施例において、前記移送体２は、図２に示すように、他の移送体２と連結するため、前面と背面にそれぞれに一対の連結部５，５を備えるよう構成されている。
前記連結部５は、所定間隔を存して外方に突出するよう配された一対の突出部５ａ，５ａからなるもので、各突出部５ａは、左右方向に互いに連通する貫通孔５ｂを有する。
【００４１】
かかる一対の突出部５ａ，５ａを用いて行う前記移送体２，２の連結は、図７及び８に示すように、前記一対の突出部５ａ，５ａ間に保持される連結部材７を介して行われる。
この連結部材７は、図８に示すように、前記一対の突出部５ａ，５ａ間の幅と同程度の厚さを有する平面視楕円形状の板状体からなるもので、その両端に、前記一対の突出部５ａ，５ａとの係合によって保持されている状態において、前記貫通孔５ｂ，５ｂと同軸上に形成された連通孔７ａを有するものである。
なお、前記連結部材７の長さについては、特に制限はなく、被移送物１０の大きさなどに応じて適宜選択すればよい。前記連結部材７の長さは、例えば、長さ９０〜２，５００ｍｍから選択することができる。
【００４２】
前記一対の突出部５ａ，５ａと前記連結部材７が係合すると、前記一対の突出部５ａ，５ａが有する貫通孔５ｂ，５ｂと、前記連結部材７が有する連通孔７ａは、相互に連通して、軸部材６を挿通するための挿通孔を構成する。
図７に示すように、各貫通孔５ｂ，５ｂ・・・に対して、前記一方の突出部５ａの外側から、他方の突出部５ａまで挿通するよう軸部材６を挿入していき、各移送体２の連結部５，５同士を固定する。
なお、前記軸部材６を、前記突出部５ａの外側まで貫通させると共に、前記貫通した軸部材６の先端を、適宜、固定部材によって固定することによって、各移送体２の連結部５，５同士を強固に固定してもよい。
【００４３】
このような構成によって、前記移送体２は、前記連結部５，５を介して他の移送体２と連結した連結体１２として構成することができるので、複数の移送体２，２・・・を、前後方向に並べて連結した状態で前記案内レール４上に配置することができる。
【００４４】
前記移送体２又は連結体１２は、図１に示すように、案内レール４上での水平方向への移動（摺動）を可能にする移動手段３と連結される。
【００４５】
この発明において、前記移動手段３については、前記移送体２又は連結体１２の水平方向への移動を可能にするものであれば、特段の制限なく使用することができる。
【００４６】
この実施例において、前記移動手段３は、前記移送体２と同様に、その幅が、前記ガイド部材４ａ，４ｂ間の幅と同程度になるように構成されたもので、図９に示すように、移動手段本体３ａと、その先端に水平方向に伸縮可能に取り付けられる水平ジャッキ３ｃと、前記水平ジャッキ３ｃの先端に取り付けられる移送体連結部３ｂで構成されている。
【００４７】
前記移動手段本体３ａは、その左右の側面に、左右方向に伸縮自在の一対のアーム（本体側アーム）３２ａ，３２ｂを具備する。
前記一対のアーム３２ａ，３２ｂは、後述するように、案内レール４のガイド部材４ａ，４ｂの上端縁に形成された一対の係合部４１ａ，４１ｂ・・・との係合を可能にするもので、前記水平ジャッキ３ｃを伸長して、前記移送体連結部３ｂと連結している移送体２又は連結体１２を水平方向（図９において前方）に移動させる際には、突出して前記係合部４１ａ，４１ｂと係合し、前記移動手段３自体の移動を阻止するが、前記移動手段３自体が案内レール４に沿って移動するよう前記水平ジャッキ３ｃを収縮させる際には、前記係合部４１ａ，４１ｂとの係合を解除すべく、移動手段本体３ａの内部に引き込まれるものである。
【００４８】
前記移送体連結部３ｂは、その後端部が前記水平ジャッキ３ｃのロッド先端に取り付けられ、先端部が前記移送体２又は連結体１２と連結されるものである。
この実施例において、前記移送体連結部３ｂの先端部には、前記移送体２と同様に、一対の連結部３ｄ，３ｄが備えられ、この一対の連結部３ｄ，３ｄが前記移送体２又は連結体１２の連結部５，５と、連結部材７を介して連結するよう構成されている。
【００４９】
前記移送体連結部３ｂの左右の側面にも、左右方向に伸縮自在の一対のアーム３１ａ，３１ｂが設けられている。
前記一対のアーム３１ａ，３１ｂは、後述するように、前記案内レール４のガイド部材４ａ，４ｂの上端縁に形成された、前記アーム３２ａ，３２ｂが係合している係合部４１ａ，４１ｂに隣接する係合部４２ａ，４２ｂ・・・との係合を可能にするものである。
前記アーム３１ａ，３１ｂは、前記移送体２又は連結体１２が水平方向に移動するよう前記水平ジャッキ３ｃを伸長させる際には、前記係合部４２ａ，４２ｂとの係合を解除すべく、移動手段本体３ａの内部に引き込まれるが、前記水平ジャッキ３ｃを伸長させた後、前記移動手段３を案内レール４に沿って前方に移動させる際には、反力が生じるよう突出し、伸長前に係合していた係合部４２ａ，４２ｂに隣接する係合部４３ａ，４３ｂと係合する。
【００５０】
前記移動手段本体３ａの下面の所定の位置には、移動手段３自体が案内レール４上を移動できるよう摺動部材３ｅが配設され、前記移送体連結部３ｂの下面の所定の位置にも、移動手段３自体の移動を可能にすると共に前記水平ジャッキ３ｃの伸縮を円滑に行うため摺動部材３ｅが配設されている。
なお、前記摺動部材３ｅとしては、前記移送体２において使用される摺動部材２ｅと同じものを使用することができる。
【００５１】
前記移送体２又は連結体１２は、案内レール４に沿って移動（走行）する。
【００５２】
前記案内レール４は、被移送物８の移送方向と平行に、所定の位置、例えば被移送物１０の移送先まで敷設されたもので、図７に示すように、前記移送体２の下面にある摺動部２ｄ（詳しくはその摺動部材２ｅ）が当接するレール主体４ｃと、その上面側の両端に、前記移送体２又は連結体１２の側面と当接するよう起立形成されたガイド部材４ａ，４ｂで構成されている。
したがって、前記移送体２又は連結体１２は、前記被移送物８を載置した状態で、前記レール主体４ｃ上を、前記ガイド部材４ａ，４ｂに案内されつつ、水平方向に摺動する。
なお、この実施例において、前記ガイド部材４ａ，４ｂ間の幅は、前記移送体２の幅と同程度となっている。
【００５３】
この発明において、前記被移送物８の下面には、従来のようにゴム沓を設ける必要がない。
したがって、前記ガイド部材４ａ，４ｂの高さを、前記昇降ジャッキ２ｃが下降した状態で、前記移送体２の高さよりも高く構成することができる。
この構成によって、前記ガイド部材４ａ，４ｂの上面の位置は、前記載置部２ａの上面の位置よりもやや低くなるので、前記移送体２は、前記被移送物８の所定の場所までの移送を、前記昇降ジャッキ２ｃが下降した状態で行うことができる。
【００５４】
この実施例において、前記案内レール４のガイド部材４ａの上端縁には、図１０に示すように、所要の深さ下方に切り欠いて、前記移動手段本体３ａが備えるアーム３２ａと前記移送体連結部３ｂが備えるアーム３１ａと係合可能な係合部４１ａ，４２ａ，４３ａ・・・が、所定の間隔を存して複数形成されている。
同様に、ガイド部材４ｂの上端縁の、前記係合部４１ａ，４２ａ，４３ａ・・・に相対する位置にも、所要の深さ下方に切り欠いて、前記移動手段本体３ａが備えるアーム３２ｂと前記移送体連結部３ｂが備えるアーム３１ｂと係合可能な係合部４１ｂ，４２ｂ，４３ｂ・・・が複数形成されている。
【００５５】
一対の係合部４１ａ，４１ｂと、これに隣接する一対の係合部４２ａ，４２ｂとの間隔は、前記移動手段本体３ａのアーム３２ａ，３２ｂと前記移送体連結部３ｂのアーム３１ａ，３１ｂとの間隔と同じになるように構成されている。
かかる構成によって、移動手段３及びこれに連結された移送体２又は連結体１２は、後述するように、前記案内レール４に沿って、前記係合部４１ａ，４１ｂと、これに隣接する係合部４２ａ，４２ｂとの間の長さを１推進スパンとして、推進し、この推進を繰り返すことによって、移動手段３及びこれに連結された移送体２又は連結体１２を、所定の位置まで移送することが可能となる。
【００５６】
なお、この実施例において、前記案内レール４のレール主体４ｃは、ステンレス及びテフロンよりも摩擦係数が大きい鉄で構成されると共に、前記レール主体４ｃ上には、摺動部材４ｄとして、複数のステンレス板が、所定の間隔を存して配設されている。
したがって、前記移送体２の下面には、テフロン（登録商標）などの、前記ステンレス板と組み合わせたときに、前記移送体２の摺動が容易になるような摺動部材２ｅが配設されているので、前記移送体２の摺動は、きわめて円滑に行われる。
【００５７】
以下、この発明にかかる移送装置１による被移送物８の移送を、具体的に説明する。
【００５８】
まず、図１１（Ａ）に示すように、案内レール４上で、移送体２，２・・・を互いに連結して連結体１２を構成する。
この連結体１２の後端部に、移動手段３の移動手段本体３ａに水平ジャッキ３ｃを介して連結されている移送体連結部３ｂの先端部を連結させる。
【００５９】
ついで、図１１（Ｂ）に示すように、前記連結体１２（詳しくは各移送体２の載置部２ａ）上に、被移送物８を載置する。
【００６０】
図１１（Ｂ）において、前記移動手段３は、その移動手段本体３ａのアーム３２ａ，３２ｂが前記係合部４１ａ，４１ｂと係合するが、移送体連結部３ｂのアーム３１ａ，３１ｂが、これらの係合部に隣接する係合部４２ａ，４２ｂと係合していない、という状態にある。
【００６１】
したがって、図１１（Ｃ）に示すように、前記移動手段３の水平ジャッキ３ｃを伸長すると、前記被移送物８を載置した状態にある連結体１２は、案内レール４に沿って、前記移送体連結部３ｂのアーム３１ａ，３１ｂが係合部４２ａ，４２ｂに隣接する係合部４３ａ，４３ｂと係合可能になる位置まで移動する。
【００６２】
その後、前記移送体連結部３ｂのアーム３１ａ，３１ｂを突出させて、前記係合部４３ａ，４３ｂと係合させる。
この状態で、前記係合部４２ａ，４２ｂに隣接する係合部４１ａ，４１ｂと移動手段本体３ａのアーム３２ａ，３２ｂとの係合を解除した後、前記移動手段３の水平ジャッキ３ｃを収縮させると、図１１（Ｃ）に示すように、前記移動手段３は、案内レール４に沿って前方に移動する。
すなわち、以上の動作によって、前記移動手段３と連結体１２は、前記係合部４１ａ，４１ｂと、これに隣接する係合部４２ａ，４２ｂとの間の長さを１推進スパンとして、推進する。
したがって、上記動作を繰り返すことによって、前記被移送物８を載置した状態にある連結体１２を、所定の位置（目的とする場所）まで移動させることができる。
【００６３】
連結体１２を、所定の位置まで移動させた後、図１１（Ｅ）に示すように、前記移動手段３を、前記連結体１２から取り外す。
【００６４】
図１１（Ｆ）に示すように、前記連結体１２を構成する各移送体２，２・・・の昇降ジャッキ部３ｃ，３ｃ・・・を、上昇させて、被移送物８をリフトアップする。
【００６５】
図１１（Ｇ）に示すように、受け台９，９を、被移送物８の下面と床面との間に挿入する。
【００６６】
最後に、図１１（Ｈ）に示すように、前記昇降ジャッキ３ｃを、下降させることによって、被移送物８をリフトダウンして、前記受け台９，９で支持する。
【００６７】
この実施例において、被移送物８の荷降ろし作業に際しては、使用する受け台９，９は、その上面の位置が、前記案内レール４のガイド部材４ａ，４ｂの上面の位置よりも高く、かつ前記移送体２の載置部２ａの上面の位置よりも高くなるよう構成されている。
したがって、この発明において、被移送物８の下面には、ゴム沓を設ける必要がない。
【００６８】
なお、この発明の移送装置及び移送システムは、被移送物（移送対象物）の移送と荷降ろし作業を円滑かつ容易に行うことを可能にするもので、前記被移送物の重さ、形状、大きさなどに応じて任意に前記移送体の構成を変更することができる。
したがって、前記被移送物については、特段の制限はないが、この発明の移送装置及び移送システムは、大型の重量物（例えば、１００〜５００ｔ程度）の移送に好適である。
【産業上の利用可能性】
【００６９】
この発明の移送装置及び移送システムは、所定の位置まで敷設された案内レール上を、被移送物を載置して走行する、昇降ジャッキ内蔵の移送体を利用して、比較的大型の重量物の移送と荷降ろしを行うことを可能にするもので、多くの被移送物の移送と荷降ろし作業に利用することができる。
【符号の説明】
【００７０】
１                            移送装置
２                            移送体
２ａ                          載置部
２ｂ                          移送体主体
２ｃ                          昇降ジャッキ
２ｄ                          摺動部
２ｅ                          摺動部材
２ｆ                          凹部
２ｇ                          空間
３                            移動手段
３ａ                          移動手段本体
３ｂ                          移送体連結部
３ｃ                          水平ジャッキ
３ｄ                          連結部
３ｅ                          摺動部材
３１ａ，３１ｂ                アーム
３２ａ，３２ｂ                本体側アーム
４                            案内レール
４ａ，４ｂ                    ガイド部材
４ｃ                          レール主体
４ｄ                          摺動部材
４１ａ，４２ａ，４３ａ・・・  係合部（ガイド部材４ａに形成されたもの）
４１ｂ，４２ｂ，４３ｂ・・・  係合部（ガイド部材４ｂに形成されたもの）
５                            連結部
５ａ                          突出部
５ｂ                          貫通孔
６                            軸部材
７                            連結部材
７ａ                          連通孔
８                            被移送物
９                            受け台
１２                          連結体
Ｄ                            伸長高さ
【図１】
2019073351.tif 000003
【図２】
2019073351.tif 000004
【図３】
2019073351.tif 000005
【図４】
2019073351.tif 000006
【図５】
2019073351.tif 000007
【図６】
2019073351.tif 000008
【図７】
2019073351.tif 000009
【図８】
2019073351.tif 000010
【図９】
2019073351.tif 000011
【図１０】
2019073351.tif 000012
【図１１】
2019073351.tif 000013